(57)【要約】【課題】未使用の場合折畳み平面化でき、使用する場合組み立て小物や食材を収納し、本発明同士を重ねて置くことができる折畳み収納具を提供する。【解決手段】  隣り合う複数の湾曲可能な側部の端部を重ね合わせ、接続支点によって回動可能に連結し、これら側部に囲われた底部とで収納部を形成する収納具であって、前記側部は、前記底部中心方向に平面状態で折畳むことができるように前記底部を連結してあることを特徴とする折畳み式収納具。【選択図】    図１
2005082243.tif 000002
【特許請求の範囲】
【請求項１】
隣り合う複数の湾曲可能な側部の端部を重ね合わせ、接続支点によって回動可能に連結し、これら側部に囲われた底部とで収納部を形成する収納具であって、前記側部は、前記底部中心方向に平面状態で折畳むことができるように前記底部を連結してあることを特徴とする折畳み式収納具。
【請求項２】
隣り合う複数の湾曲可能な側部の端部を重ね合わせ、接続支点によって回動可能に連結し、これら側部で一部を開口するように囲われた底部とでちり取り状の収納部を形成する収納具であって、前記側部は、前記底部中心方向に平面状態で折畳むことができるように前記底部を連結してあることを特徴とする折畳み式収納具。
【請求項３】
隣り合う複数の湾曲可能な側部の端部を重ね合わせ、接続支点によって回動可能に連結された複数の側部と、これら側部に囲われた底部とで収納部を形成する、成型された１枚の湾曲可能な板体からなる収納具であって、前記側部は、前記低部中心方向に平面状態で折畳むことができるように前記底部と連接してあることを特徴とする折畳み式収納具。
【発明の詳細な説明】
【技術分野】
【０００１】  本発明は、未使用の場合折畳み平面化でき、使用する場合簡単に組み立て小物や食材を収納することができる折畳み式収納具に関するものである。
【背景技術】
【０００２】  従来、単一の材質から成る底が平らな半球状の容器や底が四角形の容器に収納していた。
【発明の開示】
【発明が解決しようとする課題】
【０００３】  そのために、次のような問題点があった。
（イ）未使用時また運搬時に大きな空間の収納場所が必要だった。
（ロ）物を収納した時、底板の面積が側壁の周囲より狭いため収納具を重ねられず、一つ一つ収納具を置かなければならず、広い場所が必要だった。
本発明は、これらの問題点を解決するためになされたものである。
【課題を解決するための手段】
【０００４】  隣り合う複数の湾曲可能な側部の端部を重ね合わせ、接続支点によって回動可能に連結し、これら側部に囲われた底部とで収納部を形成する収納具であって、前記側部は、前記底部中心方向に平面状態で折畳むことができるように前記底部を連結する。以上を特徴とする折畳み式収納具である。【０００５】  隣り合う複数の湾曲可能な側部の端部を重ね合わせ、接続支点によって回動可能に連結し、これら側部で一部を開口するように囲われた底部とでちり取り型の収納部を形成する収納具であって、前記側部は、前記底部中心方向に平面状態で折畳むことができるように前記底部を連結する。以上を特徴とする折畳み式収納具である。【０００６】  隣り合う複数の湾曲可能な側部の端部を重ね合わせ、接続支点によって回動可能に連結された複数の側部と、これら側部に囲われた底部とで収納部を形成する、成型された１枚の湾曲可能な板体からなる収納具であって、前記側部は、前記底部中心方向に平面状態で折畳むことができるように前記底部と連接する。以上を特徴とする折畳み式収納具である。
【発明の効果】
【０００７】  本発明は、未使用時折畳み平面化できるため複数個所有していても場所を取らずに収納でき、大量に輸送してもコストを抑えることができ、またバーベキューなど屋外で使用する場合持ち運びに便利である。構造がシンプルであり、組み立て、折畳みが簡単に行うことができる。組み立てた時、収納具の側壁の回りより底板の方が広くすることができ本発明を重ねて置けるため、狭いキッチンでも下準備した食材ごとに本発明に収納し重ねて置くことができる。収納具の側壁に開口部を設けることで、まな板上で切った食材をフライパンなどに移す時、食材をこぼさず手早く行うことができる。底板を円形にしたり、平面化した時三角形にするなどいろいろなデザインにすることができる。底板と側板を湾曲可能な１枚の板体から作製することができ、製造コストを抑えられる。底板や側板に穴を開けると食材の水切りをすることができる。
【発明を実施するための最良の形態】
【０００８】  以下、本発明の実施の形態について説明する。
（イ）正方形の底板（１）の辺より若干短い湾曲可能な帯状の４つの側板（２ａ）（２ｂ）（２ｃ）（２ｄ）の端を重なり合わせロの字とし、右の側板（２ｂ）と左の側板（２ｄ）の両端の上に手前の側板（２ａ）と奥の側板（２ｃ）の両端を重なり合わせた状態とする。
（ロ）ロの字に重なり合わせた各側板（２ａ）（２ｂ）（２ｃ）（２ｄ）に底板（１）との連接部（３ａ）（３ｂ）（３ｃ）（３ｄ）をロの字の外周の中央に設ける。
（ハ）収納具の側板を組み立てた時、隣り合う側板がしっかり組み合い元の平面に戻るのを防ぐため側板（２ｂ）に鍵型の切り込み（５ａ）（５ｂ）を側板（２ａ）（２ｃ）と重なる内周側の両端に設け、同様に側板（２ｄ）に鍵型の切り込み（５ｃ）（５ｄ）を側板（２ｃ）（２ａ）と重なる内周側の両端に設ける。
（ニ）側板（２ｂ）の連接部（３ｂ）を正方形の底板（１）の右側の辺の中央に合わせ、底板（１）に連接部（３ｂ）を介し側板（３ｂ）を設ける。同様に底板（１）の左側の辺の中央に連接部（３ｄ）を介し左の側板（２ｄ）を設ける。
（ホ）側板（２ａ）の連接部（３ａ）を底板（１）の前方の辺の中央に合わせ、底板（１）に連接部（３ａ）を介し側板（２ａ）を設ける。同様に底板（１）の後方の辺の中央に連接部（３ｃ）を合わせ側板（２ｃ）を連接する。
（ヘ）側板（２ａ）と側板（２ｂ）の端が重なり合った部分の中心をカシメにより連接し、回動可能な接続支点（４ａ）を設ける。同様に側板（２ａ）と側板（２ｄ）を接続支点（４ｄ）で、側板（２ｃ）と側板（２ｂ）を接続支点（４ｂ）で、側板（２ｃ）と側板（２ｄ）を接続支点（４ｃ）でそれぞれ連接し、４つの側板（２ａ）（２ｂ）（２ｃ）（２ｄ）が、底板の中心方向にロの字状に折畳まれた平面状態とする。
（ト）隣り合う側板（２ａ）（２ｂ）（２ｃ）（２ｄ）が回動しやすいように、ロの字に畳まれた各側板（２ａ）（２ｂ）（２ｃ）（２ｄ）の角を各接続支点（４ａ）（４ｂ）（４ｃ）（４ｄ）の外側で切り落とす。
本発明は以上のような構造で、これを使用するときは、側板（２ｂ）（２ｄ）の中央を持ち連接部（３ｂ）（３ｄ）との折り線（６ｂ）（６ｄ）を支点に側板（２ｂ）（２ｄ）を起こすと、各接続支点（４ａ）（４ｂ）（４ｃ）（４ｄ）を軸に隣り合う側板（２ａ）（２ｃ）が回転し折り線（６ａ）（６ｃ）を支点に湾曲しながら側板（２ａ）（２ｃ）が起き上がり、収納具の側壁とする。側板がしっかり組み合い元の平面に戻るのを防ぐため側板（２ｂ）の両端の切り込み（５ａ）（５ｂ）に側板（２ａ）の右上端を、側板（２ｃ）の右上端をそれぞれ挟み込み、同様に側板（２ｄ）の切り込み（５ｃ）（５ｄ）に側板（２ｃ）の左上端、側板（２ａ）の左上端をそれぞれ挟み込む。
本発明に食材や小物などを収納する。また別の食材などをもう一つの本発明に収納し、本発明の上に重ねて置くことができる。料理が終わったら、切り込み（５ａ）（５ｂ）（５ｃ）（５ｄ）から側板（２ａ）（２ｃ）の両端を外し折畳み平面化する。
【実施例１】
【０００９】  （イ）最良の形態を基本とし、図３のように、手前の側板を外し、３つの側板（１２ｂ）（１２ｃ）（１２ｄ）の端を重なり合わせコの字とし、右の側板（１２ｂ）と左の側板（１２ｄ）の奥側の端の上に側板（１２ｃ）の両端を重なり合わせた状態とし、組み立てた時、図４のように側壁に開口部を設けちり取り型の収納具とする。
（ロ）右の側板（１２ｂ）と左の側板（１２ｄ）の外周の前方に底板（１）との連接部（１３ｂ）（１３ｄ）を各々設け、奥の側板（１２ｃ）の外周の中央に連接部（１３ｃ）を設ける。
（ハ）収納具の側板を組み立てた時、隣り合う側板がしっかり組み合い元の平面に戻るのを防ぐため側板（１２ｂ）に鍵型の切り込み（１５ｂ）を側板（１２ｃ）と重なる内周側の端に設け、同様に側板（１２ｄ）に鍵型の切り込み（１５ｃ）を側板（１２ｃ）と重なる内周側の端に設ける。
（ニ）コの字に重なり合った側板（１２ｂ）（１２ｃ）（１２ｄ）と連接部（１３ｂ）（１３ｃ）（１３ｄ）を底板（１１）の上に配置し、連接部（１３ｂ）（１３ｃ）（１３ｄ）を底板の外周の辺りに連接する。
（ホ）側板（１２ｃ）と側板（１２ｂ）の端が重なり合った部分の中心をカシメにより連接し、回動可能な接続支点（１４ｂ）を設ける。同様に側板（１２ｃ）と側板（１２ｄ）を接続支点（１４ｄ）で連接し、３つの側板（１２ｂ）（１２ｃ）（１２ｄ）が、底板（１１）の中心方向にコの字状に折畳まれた平面状態とする。
これを使用するときは、最良の形態同様、奥の側板（１２ｃ）の中央を持ち起こすと、各接続支点（１４ｂ）（１４ｃ）を軸に左右の側板（１２ｂ）（１２ｄ）が回転し湾曲しながら起き上がり、開口部を有するちり取り型の収納具とする。側板がしっかり組み合い元の平面に戻るのを防ぐため側板（１２ｂ）（１２ｄ）の切り込み（１５ｂ）（１５ｃ）に側板（１２ｃ）の両端の上部をそれぞれ挟み込む。
まな板（１７）上で切った食材（１８）を包丁などを使って本発明に収納し、料理の手順に従いフライパンなどに収納具の食材を移して行く。また別の食材を切り、もう一つの本発明に収納し、重ねて置くことができるため場所を取らない。料理が終わったら、折畳み平面化する。
【実施例２】
【００１０】  （イ）図５のように収納具のデザインを変更し、底板（２１）を円形としＴ字型の３つの湾曲可能な側板（２２ａ）（２２ｂ）（２２ｃ）で収納具を構成し、側板を折畳んだとき三角形になるようにする。
（ロ）Ｔ字型の側板（２２ａ）（２２ｂ）（２２ｃ）を内側に倒し、両端を重なり合わせ三角形とし、Ｔ字型の各側板（２２ａ）（２２ｂ）（２２ｃ）の下方に連接部（２３ａ）（２３ｂ）（２３ｃ）を設ける。
（ハ）三角形に重なり合った側板（２２ａ）（２２ｂ）（２２ｃ）を円形の底板（２１）に上に配置し、連接部（２３ａ）（２３ｂ）（２３ｃ）を内側に折り、連接部（２３ａ）（２３ｂ）（２３ｃ）を底板（２１）の円周に合わせ側板（２２ａ）（２２ｂ）（２２ｃ）を連接する。
（ニ）各側板（２２ａ）（２２ｂ）（２２ｃ）の端が重なり合った部分の中心をカシメにより連接し、回動可能な接続支点（２４ａ）（２４ｂ）（２４ｃ）を設ける。３つの側板（２２ａ）（２２ｂ）（２２ｃ）が、底板（２１）の中心方向に三角形に折畳まれた平面状態とする。
これを使用するときは、各側板（２２ａ）（２２ｂ）（２２ｃ）の中央を持ち起こすと、各接続支点（２４ａ）（２４ｂ）（２４ｃ）を軸に隣り合う側板（２２ａ）（２２ｂ）（２２ｃ）が回転し湾曲しながら起き上がり、収納具の側壁とする。食材や小物などを本発明に収納でき、未使用時に折畳み平面化することができ、いろいろなデザインでインテリア小物入れとして使うことができる。
【実施例３】
【００１１】  （イ）図７のように湾曲可能な１枚の板体から本発明を形成し、正方形の底部（３１）と底部（３１）の各辺の中央の一部と連接し、辺の長さと同じ帯状の４つの側部（３２ａ）（３２ｂ）（３２ｃ）（３２ｄ）を設ける。
（ロ）各側部（３２ａ）（３２ｂ）（３２ｃ）（３２ｄ）を回動しやすくするため、各側部（３２ａ）（３２ｂ）（３２ｃ）（３２ｄ）の底部側の両端の角を切り落とす。
（ハ）側部（３２ｂ）（３２ｄ）を折り線（３６ｂ）（３６ｄ）で谷折りにし、次に側部（３２ａ）（３２ｃ）を折り線（３６ａ）（３６ｃ）で谷折りにし隣り合う側部の両端を重なり合せ、ロの字に側板（３２ａ）（３２ｂ）（３２ｃ）（３２ｄ）が折畳まれた状態とする。
（ニ）各側板（３２ａ）（３２ｂ）（３２ｃ）（３２ｄ）の端が重なり合った部分の中心をカシメにより連接し、回動可能な接続支点（３４ａ）（３４ｂ）（３４ｃ）（３４ｄ）を設ける。４つの側板（３２ａ）（３２ｂ）（３２ｃ）（３２ｄ）が、底板（３１）の中心方向にロの字に折畳まれた平面状態とする。
これを使用するときは、最良の形態同様に組み立て、折畳み、収納具として使用する。
【実施例４】
【００１２】  図９のように底部（４１）と側部（４２ａ）（４２ｂ）（４２ｃ）（４２ｄ）の内部にに水切り用の穴（４７）を複数設ける。水洗いした野菜などの水切りが可能とする。
【図面の簡単な説明】
【００１３】
【図１】本発明の折畳み状態の斜視図
【図２】本発明の実施の形態を示す斜視図
【図３】本発明の実施例１を示す斜視図
【図４】本発明の実施例１を示す斜視図
【図５】本発明の実施例２を示す斜視図
【図６】本発明の実施例２を示す斜視図
【図７】本発明の実施例３を示す展開図
【図８】本発明の実施例３を示す斜視図
【図９】本発明の実施例４を示す斜視図
【符号の説明】
【００１４】１  底板
２ａ  ２ｂ  ２ｃ  ２ｄ  側板
３ａ  ３ｂ  ３ｃ  ３ｄ  連接部
４ａ  ４ｂ  ４ｃ  ４ｄ  接続支点
５ａ  ５ｂ  ５ｃ  ５ｄ  切り込み
６ａ  ６ｂ  ６ｃ  ６ｄ  折り線
１１  底板
１２ｂ  １２ｃ  １２ｄ  側板
１３ｂ  １３ｃ  １３ｄ  連接部
１４ｂ  １４ｃ  接続支点
１５ｂ  １５ｃ  切り込み
１６ｂ  １６ｃ  １６ｄ  折り線
１７  まな板
１８  食材
２１  底板
２２ａ  ２２ｂ  ２２ｃ  側板
２３ａ  ２３ｂ  ２３ｃ  連接部
２４ａ  ２４ｂ  ２４ｃ  接続支点
３１  底部
３２ａ  ３２ｂ  ３２ｃ  ３２ｄ  側部
３４ａ  ３４ｂ  ３４ｃ  ３４ｄ  接続支点
３６ａ  ３６ｂ  ３６ｃ  ３６ｄ  折り線
４１  底部
４２ａ  ４２ｂ  ４２ｃ  ４２ｄ  側部
４４ａ  ４４ｂ  ４４ｃ  ４４ｄ  接続支点
４７  穴
【図１】
2005082243.tif 000003
【図２】
2005082243.tif 000004
【図３】
2005082243.tif 000005
【図４】
2005082243.tif 000006
【図５】
2005082243.tif 000007
【図６】
2005082243.tif 000008
【図７】
2005082243.tif 000009
【図８】
2005082243.tif 000010
【図９】
2005082243.tif 000011